(57)【特許請求の範囲】
【請求項１】
三角状の２枚のフイルムを重ね、または、１枚のフイルムを三角状に折り、
その第１辺が開放された第２開口であり、第２辺がその縁部で接続された第２閉じ部であり、第３辺がその縁部で接続された第１閉じ部であり、
前記第２開口と前記第１閉じ部とが交わるコーナー部に第１開口が形成されている食品保存容器であり、
前記第１閉じ部に、その延在方向と直交する方向に延在するミシン目、もしくわ、スリットが形成され、それに続いて、前記第１開口があり、
前記ミシン目、もしくわ、前記スリットは、半円状である食品保存容器。
【請求項２】
前記ミシン目、もしくわ、前記スリットにより、前記第１閉じ部と前記第１辺とが交わる先端部は、ハート型となる請求項１記載の食品保存容器。
【請求項３】
三角状の２枚のフイルムを重ね、または、１枚のフイルムを三角状に折り、
その第１辺が開放された第２開口であり、第２辺がその縁部で接続された第２閉じ部であり、第３辺がその縁部で接続された第１閉じ部であり、
前記第２開口と前記第１閉じ部とが交わるコーナー部に第１開口が形成されている食品保存容器であり、
前記第１閉じ部に、その延在方向と直交する方向に延在するミシン目、もしくわ、スリットが形成され、それに続いて、前記第１開口があり、
第３開口が前記第２閉じ部と前記第１閉じ部とが交わるコーナー部に形成され、
前記第２閉じ部の一部と、前記第１閉じ部と、２枚の前記フイルムを閉じた第３閉じ部と、で囲まれた三角形状の領域に、前記第３開口が位置し、
前記三角形状の領域は、３辺が閉じられており、
前記三角形状の領域は、前記スリット、もしくわ、破断されたミシン目に通され、前記食品保存容器が立体形状となる食品保存容器。
【請求項４】
三角状の２枚のフイルムを重ね、または、１枚のフイルムを三角状に折り、
その第１辺が開放された第２開口であり、第２辺がその縁部で接続された第２閉じ部であり、第３辺がその縁部で接続された第１閉じ部であり、
前記第２開口と前記第１閉じ部とが交わるコーナー部に第１開口が形成されている食品保存容器であり、
前記第１閉じ部に、その延在方向と直交する方向に延在するミシン目、もしくわ、スリットが形成され、それに続いて、前記第１開口があり、
前記第２閉じ部と前記第２開口とが交わるコーナーをカットし切り欠きを設け、
前記第２閉じ部が、破線のシールにより開放できるようにその縁部が閉じられ、
前記切り欠きを開放することで前記破線のシールを開放する食品保存容器。
【請求項５】
請求項１項から４項のいずれか１項に記載の食品保存容器に、食品を入れ、前記食品を保存する方法。
【発明の詳細な説明】
【技術分野】
【０００１】
本発明は、食品を包む容器に関する。特に、家庭的に食品を包む容器と食品の保存方法に関する。
【背景技術】
【０００２】
従来からご飯を包むおにぎり袋があった。図７（ａ）と図７（ｂ）で、従来のおにぎり袋（特許文献１）を説明する。図７（ａ）は、おにぎり袋の平面図、図７（ｂ）は、おにぎり袋の使用状態を示す斜視図です。
図７（ａ）で、袋上１０ａは、１枚のフィルムであり、袋下１０ｂは２重のフィルムで、側辺は閉じられている。
【０００３】
おにぎり袋は、先端部２２に、第１開口１１とミシン目１２のペアが３つある。袋上１０ａと袋下１０ｂとの間に第２開口２５がある。この第２開口２５からご飯を、袋下１０ｂへ向かっていれ込む。その後、先端部２２を後端部３２に近づくように折り曲げる。第１開口１１とミシン目１２のペアのうちの適切な位置のものを特定し、ミシン目１２を開口し、後端部３２へ入れ込む。結果、図７（ｂ）の状態となる。
【先行技術文献】
【特許文献】
【０００４】
【特許文献１】特開２００４−３３８７９６号公報
【発明の概要】
【発明が解決しようとする課題】
【０００５】
しかし、特許文献１記載の従来の袋（図６）の欠点として、以下がある。第１開口１１とミシン目１２のペアが３つあり強度的に弱く、破け易かった。逆に、食べる時に、袋が切れにくい。出来たおにぎりの保存も置くのみの保存であった。
そこで、本願の発明では、食べ物を保存でき、さらに、食べ物を取り出しやすい容器を提供することを課題とする。
【課題を解決するための手段】
【０００６】
上記課題を解決するために、おにぎりの包装容器であって、三角状の２枚のフイルムの２辺がその縁部で接続され、１辺が開放されており、前記接続されている２辺の交点近傍に両フイルムを貫通する開口が形成されていることを特徴とする食品保存容器を用いる。
【発明の効果】
【０００７】
本願発明の食品保存容器では、食べ物を保存でき、さらに、容器を切り裂いて食べ物を取り出しやすい。
【図面の簡単な説明】
【０００８】
【図１】（ａ）実施の形態１の袋を示す図（ｂ）〜（ｄ）（ａ）の袋を製造する工程を説明する図、（ｅ）ミシン目と第１開口部分の図
【図２】（ａ）〜（ｄ）実施の形態１の袋の使用方法を説明する図
【図３】（ａ）〜（ｂ）実施の形態１の袋の使用方法を説明する図
【図４】（ａ）〜（ｅ）実施の形態２の袋の使用方法を説明する図
【図５】実施の形態３の袋を示す図
【図６】（ａ）〜（ｄ）実施の形態４の袋を示す図
【図７】（ａ）従来のおにぎり袋の使用前の状態を示す図、（ｂ）（ａ）のおにぎり袋にご飯を詰めた状態を示す図
【発明を実施するための形態】
【０００９】
（実施の形態１）
＜構造＞
実施の形態１の食品保存袋を、図１（ａ）に示す。なお、袋で説明するが容器として応用できる。
袋１０は、中央に目印線１９があり、袋上１０ａと袋下１０ｂとからなる。袋上１０ａには、最上部の先端部２２に第１開口１１、ミシン目１２がある（図１（ｅ））。
２枚のフィルムが重なった３角形形状である。
第１辺が開放された第２開口２５であり、第２辺がその縁部で接続された第２閉じ部１５ａであり、第３辺がその縁部で接続された第１閉じ部１６である。２辺が閉じられ、１辺が開放されている。２辺が閉じられたコーナーに第３閉じ部１４があり、そこに、第３開口１３がある。他のコーナーに先端部２２があり、別のコーナーに切欠１５がある。
【００１０】
第３閉じ部１４は、２枚のフィルムが溶着など閉じられている。
＜製法＞
製法として、図１（ｂ）のように１枚のフィルムを折り返し線２３で折りたたむ方式がある。また、図１（ｃ）に示す１枚のフィルムを、図１（ｄ）のように、重ねて、第１閉じ部１６、第２閉じ部１５ａで閉じる方式がある。どちらの方法でも容易に大量に生産できる。フィルムは、薄い樹脂フィルムである。
【００１１】
＜プロセス＞
ご飯などを袋１０に詰めるプロセスを以下で説明する。図２〜図３を用いて、袋１０を用いるプロセスを説明する。
（１）袋１０をコップ３０等に立てる（図２（ａ））。
【００１２】
（２）袋上１０ａをコップ３０等の縁で折りかえす（図２（ｂ）。
（３）スプーンやお箸などで、飯５０を、第２開口２５から、目印線１９まで入れる（図２（ｃ））。再度、袋上１０ａを立てる（図２（ｄ））。
【００１３】
（４）その後、コップ３０から袋１０を取り出す。ミシン目１２を開放して、蓋をする（図３（ａ）（ｂ））。出来た三角の中心位を少し抑えると、ご飯が隅々に移動して、美しく成形用フイルム袋が変化して、三角にぎりが出来上がる。
（５）第３開口１３（図３（ｂ））により、フックに吊るせる。
【００１４】
＜従来の図６との相違点＞
実施の形態１の袋１０は、図７の従来の袋と異なり、以下の点がある。
（１）袋を伸ばした図３（ａ）に、示すように、切欠１５がある。さらに、破線のシール（第２閉じ部１５ａ）を採用することで、この切欠１５から袋１０を開放することが容易にできる。簡単にご飯５０などを取り出しやすくなる。
【００１５】
（２）図３（ａ）に示すように、第１開口１１の形状、数を変更している。従来の図７では、３つのミシン目１２と丸い透孔の第１開口１１であった。しかし、この実施の形態では、図３（ａ）、図１（ｅ）に示すように、第１開口１１の形状を丸から、涙目状にして、ミシン目１２と自然な曲線でつながる。結果、第１開口１１が開きやすくなった。引き裂かれにくくなった。複数のペアがあったが１対にして、全体の形状を強度アップさせた。ミシン目１２はスリットとして最初から開放されていてよい。１つにできたのは、ご飯５０入れる量は、目印線１９で一定にできるためである。
【００１６】
（３）第３閉じ部１４に第３開口１３を設けた。食品を包んだ袋を、第３開口１３を利用して、掛けて保存できる。また、この第３開口１３の周辺の部分は三角形形状で、３辺とも閉じられており、強度的にしっかりしている。この三角形形状の領域は、第２閉じ部１５ａの一部と、第１閉じ部１６と、２枚のフィルムを閉じた第３閉じ部１４と、で囲まれた三角形状の領域である。
【００１７】
このため、図３で、第１開口１１に第３開口１３を入れる時に入れやすい。
（４）図３に示すように、目印線１９を設けた。この線まで食品を入れる目印の線を設けた。食品を入れる量を規制できる。食品を入れた時の立体形状を確保できる。袋１０の破損を防止でき、同じ大きさのにぎりが複数個作れる。
【００１８】
＜効果＞
減塩者に優しい自家製おにぎりが作れる。家庭でストックできる。無添加の自家製弁当が簡単に持参できる。学食等に良い。自家製の美味しい炊き込みご飯等をおにぎりにして家族に提供できる。熱い炊飯でも、手軽な弁当のようなおにぎりができる。
【００１９】
ストックする場合は、しっかり冷ましてからふたをすればよい。作りすぎたら冷凍保存ができる。レンジでそのまま温められる。家庭でご飯が余った時にも便利である。
手荒れでハンドクリーム使用者でも手袋無しでよい。爪の長い方にも衛生的である。家庭に限らず出先でのマイ保存袋としても重宝する。外国でも日本食弁当や、おにぎりが喜ばれているが、外国の方々にもこの三角にぎり成形用フイルムで、だれでも簡単に三角にぎりができる。
【００２０】
食べる時に、袋１０を開けて、図３（ａ）のような状態にすると、第２開口２５から、スプーンやお箸でもご飯等が食べられる。焼きそば・スパゲティ・たこ焼き、カステラ等の粉ものや、子供たちのおやつであるキャンデイ等も入れられて蓋もできる。
また、第２閉じ部１５ａは、破線のシールであり、切欠１５を少しずつ開放することもできる。
【００２１】
熱い炊飯でも、手軽な弁当のようなおにぎりが、袋１０をコップ３０等に立てて（図２（ｂ））、第２開口２５をコップ３０等の縁におりかえして、スプーンやお箸などで第２開口２５から挿入、好みのおかずを入れることができる。
ご飯等を袋１０に入れることで、三角柱状の厚み部分が形成できる。ミシン目１２を開放して、第３開口１３をつまんで蓋をかぶせる。三角の中心部位を少し抑えると、ご飯が隅々に移動し、つめやすい。
【００２２】
美しく成形されて三角にぎりが出来上がる。第３開口１３により、フックにも吊るせる。ストックする場合はしっかり冷ましてから、ミシン目を開放して蓋をする。
目印線１９があるので、同じ大きさのものが複数できる。保存しやすく、食べやすい。
【００２３】
作りすぎたら冷凍保存ができます。レンジでそのまま温められる。家庭でご飯が余った時にも便利である。
目的により通気性のあるフイルム素材を選べる。さらに、塩分を控えて機能性鮮度保持フイルム等を使用することで、子供たちや減塩者に優しい自家製おにぎりが作れる。
【００２４】
（実施の形態２）
図４（ａ）〜図４（ｃ）で実施の形態２を説明する。図４（ａ）では、図３で出来上がった、飯５０を詰めた袋１０の三角柱状体の外側に海苔７０を巻く。
その後、図４（ｂ）に示すように、別の袋１０の第２開口２５から、飯５０を詰めた袋１０を入れる。その後、図３で説明したように、第１開口１１を開き、第３開口１３を入れる（図４（ｃ））。保存として、図４（ｄ）に示すように、第３開口１３を利用して、バーなどに掛けることができる。ただし、リング２６を使用すると、袋１０が正面へ向けることができる。図４（ｅ）のように、リング２６がなく、バーの形状（Ｔ字型）を工夫してもよい。
【００２５】
出来上がった三角にぎりに、好みの大きさの海苔７０を巻きつけておき、もう１枚の袋１０を重ね使用すると、自家製ならでの海苔使用の三角にぎりができる。
（実施の形態３）
図５に実施の形態３の袋１０を示す。実施の形態１との差異は、以下である。
【００２６】
（１）切欠１５が丸いこと。丸くすることで、図３（ａ）の状態から図３（ｂ）の状態へ、袋上１０ａを折り曲げる時、折り曲げやすい。
（２）第３開口１３の角度θ１が、３０度以上４５度より小さい。食品を包んだ時の形状の先端部分（第３開口１３、第３閉じ部１４、図３（ｂ））が、スマートである。
【００２７】
（３）ミシン目１２の角度θ２が、１辺に垂直である。図３（ａ）時に水平方向の１直線となり、第３閉じ部１４にかぶせやすい。また、直線なので、その部分から袋１０引き裂かれることがない。
【００２８】
（実施の形態４）
この実施の形態では、切り欠き１２を変形させた。
図６（ａ）は、図１（ａ）に相当する図である。切り欠き１２のところが異なる。直線でなく、半円状である。
【００２９】
この袋を展開すると図６（ｂ）、図６（ｃ）となる。図６（ｂ）は、図４（ａ）、図３（ａ）に相当する図である。図６（ｃ）は図６（ｂ）の裏面の図である。
図６（ｂ）、図６（ｃ）に上記と同様に、食べ物を入れ、切り欠き１２を開けて、第３開口１３の部分をとおすと、図６（ｄ）となる。図６（ｄ）は図３（ｂ）に相当する図である。
図６（ｄ）でわかるように、先端部２２はハート型になる。
【００３０】
ハートのところに名前を書ける。シールを貼ることもできる。メッセージも書ける。宣伝もできる。特に、各種行事（ひな祭り、節句、誕生日など）に合わせて、シート、言葉などを入れれる。
【００３１】
袋の素材として、色がついたフィルム、まんが、アニメがついたフィルム、装飾用フィルムを用いると、デザインとしてよい。各種行事（ひな祭り、節句、誕生日など）に合わせて、適したフィルムを使用すると好ましい。
【００３２】
（なお書き）
袋１０にシールやマークを付けると、中身の種類を特定できる。食材の種類や日時、名前など区別できる。キャラクターやメッセージをつけてもよい。実施の形態１〜３は、組み合わせできる。
フイルム素材などによって、涙目状部分が破損しやすい場合、デザインシールやシートなどで補強できる。
【産業上の利用可能性】
【００３３】
本願発明の食品保存袋は、家庭用だけでなく、業務用にも利用できる。ご飯だけでなく、いろいろな食材を保存できる。
【符号の説明】
【００３４】
１０  袋
１０ａ  袋上
１０ｂ  袋下
１１  第１開口
１２  ミシン目
１３  第３開口
１４  第３閉じ部
１６  第１閉じ部
１５  切欠
１５ａ  第２閉じ部
１９  目印線
２２  先端部
２５  第２開口
２６  リング
３０  コップ
３２  後端部
５０  飯
７０  海苔
θ１，２  角度
【要約】
【課題】食べ物を保存でき、さらに取り出しやすい袋を提供することを課題とする。
【解決手段】三角状の２枚のフイルムを重ね、その第１辺が開放された第２開口であり、第２辺がその縁部で接続された第２閉じ部であり、第３辺がその縁部で接続された第３閉じ部であり、前記第２開口と前記第３閉じ部とが交わるコーナー部に第１開口が形成されている食品保存袋を用いる。また、１枚のフイルムを三角状に折り、その第１辺が開放された第２開口であり、第２辺がその縁部で接続された第２閉じ部であり、第３辺がその縁部で接続された第３閉じ部であり、前記第２開口と前記第３閉じ部とが交わるコーナー部に第１開口が形成されている食品保存袋を用いる。
【選択図】図１【図１】
0005894312.tif 000002
【図２】
0005894312.tif 000003
【図３】
0005894312.tif 000004
【図４】
0005894312.tif 000005
【図５】
0005894312.tif 000006
【図６】
0005894312.tif 000007
【図７】
0005894312.tif 000008